(57)【要約】  固定具(１)は、弾力性を有するチューブ(２)から形成されたループ（Ｒ）と、ループ（Ｒ）に備えられた留具(３)とからなる。ループ(Ｒ)のループ面を横切るように管およびコード類を挟んでループ(Ｒ)が二つ折りにされ、管およびコード類に関して留具(３)を有する側のループ部分がその反対側のループ部分の開口部をくぐらされて引っ張り出されることにより、ループ(Ｒ)が管およびコード類に密着状態で結び付けられると共に、留具(３)の係止部(７)が所望の箇所に着脱可能に設置された係止具に係止されることにより、管およびコード類が固定される。【特許請求の範囲】
【請求項１】
手術室において使用される手術用器具に付属する管およびコード類の中間部分を所望の箇所に固定するための管およびコード類固定具であって、
弾力性を有するチューブ(２、２')から形成されたループ（Ｒ、Ｒ'）と、前記ループに備えられた留具(３、３"、３'-１、３'-２、３'-３、３'-４)と、からなり、前記留具には係止部(７、Ｆ"、ｒ、ｒ'、７'-２、７'-３、７'-４)が設けられており、
当該ループのループ面を横切るように管およびコード類(Ｔ)を配置し、前記管およびコード類を挟んで前記ループを二つ折りにし、前記管およびコード類に関して前記留具を有する側のループ部分をその反対側のループ部分の開口部(１１)にくぐらせて引っ張り出すことにより、前記ループを前記管およびコード類に密着状態で結び付けると共に、
前記留具の係止部を所望の箇所に係止するようになっているものであることを特徴とする、管およびコード類固定具(１、１"、１'-１、１'-２、１'-２'、１'-３、１'-３'、１'-４)。
【請求項２】
留具の係止部が、前記留具に設けられた貫通孔（６、６"、６'-２、６'-３、６'-４）または第２のループ部分(ｒ、ｒ')からなっていることを特徴とする請求項１に記載の管およびコード類固定具。
【請求項３】
前記ループ（Ｒ）が、一本の前記チューブ（２）を輪にして、その両端部を前記留具（３）で止めたものから形成され、前記留具(３)が、前記チューブ(２)の両端部が挿入される１個の筒状部(５)を備え、前記筒状部(５)が、その内径(Ｗ１)が前記チューブ(２)２本分の外径よりも小さくなっており、挿入されたチューブ(２)の両端部は押しつぶされて前記筒状部(５)内に固定される一方、前記チューブが前記筒状部から長さ方向に所望の距離引っ張り出し可能になっていることを特徴とする、請求項１または２に記載の管およびコード類固定具。
【請求項４】
前記ループ（Ｒ）が、一本の前記チューブ（２）を輪にして、その両端部を前記留具（３'-２）で止めたものから形成され、
前記留具(３'-２)が、前記チューブ(２)の一方端部が挿入される１個の筒状部(４'-２)を備え、前記チューブ(２)の他方の端部は前記留具(３'-２)に移動不能に固定されており、
前記筒状部(４'-２)は、その内径が前記チューブ(２)の外径よりも小さくなっており、これに挿入された前記チューブ(２)の一方端部が押しつぶされて筒状部内に固定される一方、長さ方向に所望の距離引っ張り出し可能になっていることを特徴とする、請求項１または２に記載の管およびコード類固定具。
【請求項５】
留具(３")の係止部(Ｆ")が、留具(３")に設けられたフック本体(Ｆ"１)と、前記フック本体の基部および先端の間にのびて、前記フック本体の開口を閉じる閉鎖部材(Ｆ"２)とからなり、
閉鎖部材(Ｆ"２)は一端が前記フック本体(Ｆ"１)の基部に設けられた回動軸(Ａ")の周りに回動可能に取り付けられて、他端が前記フック本体の先端に当接して前記フック本体の開口を閉じる第１の位置と、前記他端が前記フック本体の先端から離れて前記フック本体の開口を開く第２の位置をとり得るようになっており、前記閉鎖部材(Ｆ"２)が、自発的な弾性力ないし回動軸(Ａ")に取り付けられたバネの弾性力により、常時第１の位置に向けて弾性付勢されるようになっていることを特徴とする請求項１〜４のいずれかに記載の管およびコード類固定具。
【請求項６】
前記チューブ(２、２')がシリコンゴム製であることを特徴とする請求項１〜５のいずれかに記載の管およびコード類固定具。
【請求項７】
前記所望の箇所に着脱可能に設置でき、請求項１〜６のいずれかに記載の留具の係止部を係止することができる係止具(１２)であって、
フック本体(１４)と、前記フック本体の基部および先端の間にのびて、前記フック本体の開口を閉じる閉鎖部材(１６)と、から成るフック部(Ｆ)を有し、
閉鎖部材(１６)は、一端が前記フック本体(１４)の基部(１５)に設けられた回動軸(Ａ)の周りに回動可能に取り付けられて、他端が前記フック本体の先端に当接して前記フック本体の開口を閉じる第１の位置と、前記他端が前記フック本体の先端から離れて前記フック本体の開口を開く第２の位置をとり得るようになっていて、前記閉鎖部材(１６)が、自発的な弾性力ないし回動軸(Ａ)に取り付けられたバネの弾性力により、常時第１の位置に向けて弾性付勢されるようになっており、
前記フック本体の基部(１５)の裏面にはクリップ(１７)が設けられていて、前記フック本体(１４)を前記留具の貫通孔(６、６"、６'-２、６'-３、６'-４)ないし第２のループ部分(ｒ、ｒ')に貫通し、前記クリップ(１７)を前記所望の箇所に固定するようになっていることを特徴とする係止具。
【請求項８】
前記所望の箇所に着脱可能に設置でき、請求項１〜６のいずれかに記載の留具の係止部を係止することができる係止具(１２'-１)であって、
フック本体(１４'-１)と、前記フック本体の基部および先端の間にのびて、前記フック本体の開口を閉じる閉鎖部材(１６'-１)とから成るフック部(Ｆ'-１)を有し、
前記閉鎖部材(１６'-１)は、前記フック本体の基部(１５')に突設されるとともに、
その自由端が前記フック本体の先端に当接して前記フック本体の開口を閉じる位置を常時はとるが、前記自由端が前記フック本体の先端から離れて前記フック本体の開口を開くように弾性変形可能になっており、
前記フック本体の基部(１５')の裏面にはクリップ(１７')が、前記フック本体の裏面との間で物体を挟持するように設けられていて、
前記留具の貫通孔ないし第２のループ部分に前記フック本体（１４'-１）を通し、前記クリップ（１７'）を前記所望の箇所に固定するようになっていることを特徴とする係止具。
【請求項９】
前記クリップ(１７、１７')が、前記フック本体(１４、１４'-１)の基部の裏面に、当該フック部(Ｆ、Ｆ'-１)と相互に上下方向に、および/または当該フック部(Ｆ、Ｆ'-１)に対して前後方向に、スライド自在に連接されていることを特徴とする請求項７または請求項８に記載の係止具。
【発明の詳細な説明】
【技術分野】
【０００１】
本発明は、手術室において使用される手術用器具に付属する管およびコード類の中間部分を所望の箇所に、迅速かつ確実に固定するための器具、ならびに前記器具の留具の係止部を係止して、簡便に所望の箇所に前記器具を着脱可能に固定するための係止具に関するものである。
【背景技術】
【０００２】
眼科手術を含む外科手術では、カテーテル、レーザーメス、内視鏡等の種々の手術用器具が用いられ、これらには様々な管およびコード類が付属しているため、手術台周辺にはこれら多数の管およびコード類が集中する。ここで、手術は人体を対象とするため、清潔さが第一に担保されなければならず、医師等は手術現場においてこの点に非常に気を使う。即ち、手術現場においては、例えば滅菌処理済の布を被せて無菌状態を担保した台から成る清潔区域が設けられ、清潔区域外の区域が全て不潔区域とされ、滅菌処理後に一瞬でも不潔区域に属するものに接触したものは、即座に、汚染されたものとして扱われるなど、両者は非常に厳格に区別されている。また、カテーテル、レーザーメス等の手術用の管およびコード類にあっては、所定の箇所から一方の側は清潔区域、他方の側は不潔区域であることを明確に区別しておく必要がある。即ち、これら管およびコード類は、当該両区域を区切りつつ、確実にこれらを所定の箇所に固定することが必要とされるところ、従来は、当該管およびコード類における清潔区域と不潔区域を区切る箇所をさばいたガーゼで束ねて、ガーゼと共に当該箇所を、滅菌布等を被せて清潔さを担保した所定の台の縁にクリップや布鉗子で挟み付けたり、あるいは滅菌テープで接着固定したりしていた。
【特許文献１】実開平５−８８５０６号公報
【特許文献２】特開平６−１６９９４２号公報
【発明の開示】
【発明が解決しようとする課題】
【０００３】
しかし、このようにガーゼで束ねるようにすると、手術用の手袋をはめた状態でガーゼを結んだりほどいたりするのが難しく、手間、時間がかかる上に、一旦形成した結び目がゆるんで管およびコード類が定位置に固定されなくなるという不都合を生じ、管およびコード類上の清潔区域と不潔区域との境界が曖昧になる結果、管およびコード類が汚染されたものとして、再度滅菌処理をしなければならない問題があった。また、当該箇所を確実に固定するため、かかる箇所をクリップや布鉗子で締め付け固定することもなされているが、この場合には、クリップや布鉗子の挟み部分によって管の内腔が閉塞されて、流体の流れが妨げられるという問題や、管やコード類の外皮が破損されてしまう問題を生じていた。【０００４】
また、テープで固定する場合には、剥がす際に手間がかかること、テープについた接着剤がケーブルやチューブに付着し、その除去が面倒であることに加えて、剥がしたり接着剤を除去したりする際の衝撃により繊細かつ高価な器具類が傷ついてしまうことがあり、これは非常な不都合であった。
従って、本発明の課題は、かかる手術現場において、手術用の管およびコード類の中間部分を安定かつ確実に所望の箇所に、簡便に固定することができる手段を提供することにある。
【課題を解決するための手段】
【０００５】
上記課題を解決するため、本発明は、弾力性を有するチューブから形成されたループと、前記ループに備えられた留具と、からなり、前記留具には係止部が設けられており、当該ループのループ面を横切るように管およびコード類を配置し、前記管およびコード類を挟んで前記ループを二つ折りにし、前記管およびコード類に関して前記留具を有する側のループ部分をその反対側のループ部分の開口部にくぐらせて引っ張り出すことにより、前記ループを前記管およびコード類に密着状態で結び付けると共に、前記留具の係止部を、所望の箇所に係止して、前記管およびコード類を固定するようにしたことを特徴とする、管およびコード類固定具を構成したものである。【０００６】
前記ループは、一本の前記チューブを輪にして、その両端部を前記留具で止めたものから形成されたもの(Ｒ)であってもよいし、一本の輪状チューブを留具で止めることにより形成したもの(Ｒ')であってもよい。後者の場合には、留具に関してループ(Ｒ')の反対側に第２のループ(ｒ)を設けることもできる。【０００７】
上記構成において、チューブは、十分な弾力性および形状記憶性および高い摩擦係数を有する。また、当該チューブは耐塩素性等の耐化学薬品性を有する。さらに当該チューブは耐熱性も有する。かかる特性を備えたチューブ材料には、シリコンゴム、プラスチックが挙げられるが、これらには限定されない。チューブは一般に内腔を有するものであるが、中身が詰まっているもの(例えば、ゴム紐等)であってもよい。また、チューブ内腔にワイヤー等を貫通して丈夫さを担保してもよい。また、「チューブ」には、一本の直線状のものと、輪状のものの、両方が含まれるものとする。【０００８】
留具は、好ましくは、１個の金属製の、例えば円筒形状の筒状部から成ってよいし、または複数個のかかる筒状部の組合せから成ってもよい。これら筒状部は、金属ストリップの両縁をそれぞれカール曲げ加工等して形成されたものであってもよいし、適宜の形状に成形加工したものであってもよい。１個の筒状部から成るものは、好ましくはその内部の径がその中に貫通させる上記チューブ２本分の外径よりも小さくなるようにしてあるものである。この構成により、ループを形成するにつき、チューブの端を、その側面を圧縮しつつ当該筒状部内に貫通し、貫通後はチューブの太さによりチューブが筒状部内壁面を圧迫する力とチューブ表面の摩擦力とが相まって、留具がチューブを強く固定することができる。かように筒状部内に貫通させたチューブの両端部ないし一方の端部を筒状部内から引き出して(図１のＭ)、ループの輪の大きさを調節して、固定が予定される管およびコード類の個々の径に適合させることができる。この他、当該筒状部を作製する際に、前記金属ストリップの上に前記チューブの両端部を載せ、これに当該ストリップの両端部を巻き付けるようにしてかしめ固定し、筒状部内に挿入されたチューブの端部が移動不能となる構成としたものであってもよい。【０００９】
２個の筒状部の組合せから成るものは、例えば、各筒状部の内径をその中に貫通される上記チューブ１本分の外径よりも小さくなるようにして、前記１個の筒状部から成るもの同様の態様でループを形成およびその輪の大きさを調節することができるものであってよい。また、カール曲げ加工により各筒状部を形成する際に、前記金属ストリップの一端にチューブを載せ、これに当該金属ストリップの一端を巻き付けるようにしてかしめ固定し、他方の端は、カール曲げ加工により内径がチューブ１本分の外径よりも小さくなるような筒状部を形成するよう曲げ加工を施したものであってもよい。この構成により、ループを形成するチューブの一端は前記かしめ固定により当該筒状部内にて動くことがなく、他方の筒状部内に貫通されたチューブの他端は既に記載したと同様の方法で当該筒状部内に移動可能に圧迫固定されて、後者のチューブの端を当該筒状部内から引き出すことが可能であり、形成されるループの輪の大きさを調節して、固定が予定される管およびコード類の個々の径に適合させることができる。【００１０】
前記留具は、留具を所定の箇所に係止するための適宜の形状の係止部を、所望により有するものである。
本発明は、さらに、前記留具の係止部を係止することができ、かつ簡便に所望の箇所に着脱可能に設置することができる係止具を構成したものである。
前記係止具は、例えば、前記留具の係止部を係止することができるフック本体と、その開口を閉じる閉鎖部材とから成るフック部と、所望の箇所に着脱可能に設置することができるクリップとから成ることを特徴とするものである。
ここで、クリップは、クリップを固定する場所の形状や固定態様等に応じて適宜の形状や構成に成形できる。例えばかかるクリップを前記フック部の裏面に、フック部と相互に上下方向に、および/またはフック部に対して前後方向に、スライドできるように取り付けた場合、手術現場の台の縁の高さや幅等のクリップが固定される場所の状況に応じて当該クリップの挟持部分の開閉幅を調節でき、適切な固定を実現できる。【００１１】
なお、明細書および特許請求の範囲の記載中、「クリップがフック部の裏面に、フック部と相互に上下方向にスライドできるように取り付けられている(ないし連接されている)」は、クリップの全体が、フック部との関係で相対的に上下方向にスライドできるように取り付けられている状態、クリップの構成要素の１または複数の部分が、フック部との関係で相対的に上下方向にスライドできるように取り付けられている状態、およびクリップの全体も、クリップの構成要素の１または複数の部分も、フック部との関係で相対的に上下方向にスライドできるように取り付けられている状態、のいずれをも意味する。クリップの全体が、フック部との関係で相対的に上下方向にスライドできるように取り付けられている状態のクリップ構成例としては、例えばクリップが、フック部の裏面に取り付けられた連結部材と、当該連結部材を介して当該フック部の裏面に取り付けられる挟持部材とから成る場合に、当該フック部の裏面と当該連結部材との当接部分で、当該フック部と当該連結部材とが互いに上下方向に相対スライド運動するように構成されていて、クリップが全体としてフック部との関係で相対的に上下方向にスライド移動可能となっている構成が挙げられる。クリップ構成要素の１または複数の部分が、フック部との関係で相対的に上下方向にスライドできるように取り付けられている状態のクリップ構成例としては、かかる場合に、当該連結部材が当該フック部の裏面にスライド不能に固定されると共に、当該挟持部材と当該連結部材との当接部分で、当該挟持部材と当該連接部材とが互いに上下方向に相対運動するように構成されていて、クリップを構成する部材のうち、当該挟持部材のみが当該フック部との関係で相対的に上下方向にスライド移動可能となっている構成が挙げられる。クリップの全体も、クリップ構成要素の１または複数の部分も、フック部との関係で相対的に上下方向にスライドできるように取り付けられている状態のクリップ構成例としては、前記構成例を組み合わせたものが挙げられる。【００１２】
また、明細書および特許請求の範囲の記載中、「クリップがフック部の裏面に、フック部に対して前後方向にスライドできるように取り付けられている(連接されている)」も同様に、クリップの全体が、フック部に対して前後方向にスライドできるように取り付けられている状態、クリップの構成要素の１または複数の部分が、フック部に対して前後方向にスライドできるように取り付けられている状態、およびクリップの全体も、クリップの構成要素の１または複数の部分も、フック部に対して前後方向にスライドできるように取り付けられている状態、のいずれをも意味する。【００１３】
また、前記係止具は、前記留具の係止部が前記留具に設けられた貫通孔から成っている場合に、前記留具の係止部を係止することができる係止具であって、前記留具の係止部を係止することができるフック本体と、その開口を閉じる閉鎖部材とから成るフック部を複数個、前記平板に間隔を開けて取り付けるとともに、前記平板にクリップないし係止用開口を設けたものからなり、前記留具の貫通孔に前記フック部のフック本体を通し、前記クリップないし係止用開口を前記所定の箇所に着脱可能に固定するようになっていることを特徴とするものである。【００１４】
ここで、前記本発明の管およびコード類固定具は、前記係止具と併用することで、より簡便に所望の箇所に管およびコード類を固定することができるが、かかる係止具を用いなくても、例えば従来の布鉗子ないしクリップ等で前記留具の係止部を挟み止めることにより、所望の箇所に、当該器具類を固定することもできる。【００１５】
本発明の管およびコード類固定具を構成する留具および係止具は、チューブの場合と同様、滅菌の必要性から、耐化学性、耐熱性を有するものである。かかる特性を備えた本発明を構成する留具の材料としては、ステンレス、アルミ合金、硬質プラスチック等が挙げられるが、これらには限定されない。
本明細書中、管およびコード類とは、白内障手術、硝子体手術における潅流チューブを始め、カテーテル、吸引管、気管切開用チュ−プ等の管状器具類の他、トラカール、結紮器、内視鏡、さらには器械等に通じる配線ケーブル等、手術室において使用されるあらゆる線形のものを意味する。
【発明の効果】
【００１６】
本発明によれば、即ち、弾力性および表面摩擦力を有するチューブで形成されたループの面を横切るように管およびコード類を配置し、この管およびコード類を挟んで前記ループを二つ折りにし、前記管およびコード類に関して一方のループ部分をその反対側のループ部分の開口部にくぐらせて、適宜力を調節しながら引っ張り出すことにより、管およびコード類を圧迫したり折り曲げたりすることなく、即ちその内腔を閉塞することなく、また、管およびコード類表面を傷つけることなく、管およびコード類にチューブを密着状態で、簡単かつ確実に結び付けることができる。また、係止具と併用する本発明の固定具を用いて、ループを結び付けた管およびコード類を簡易かつ確実に、所望の箇所に整然と機能的に固定することができる。さらには、管およびコード類の所定の箇所から一方の側および他方の側を、明確かつ確実に区切りつつ、固定することができる。
【図面の簡単な説明】
【００１７】
【図１】本発明の１実施例による管およびコード類固定具の正面図である。
【図２】図１に示す固定具の留具の一例を示す図であり、Ａは、その斜視図、Ｂは正面図、Ｃは背面図、Ｄは右側面図およびＥは底面図である。
【図３】図２に示す留具の展開図である。
【図４】図１に示す固定具の使用状態を示す図である。
【図５】本発明の別の実施例による管およびコード類固定具の正面図である。
【図６】本発明の１実施例による係止具を示す斜視図である。
【図７】図６に示す状態を、上方から見た概観図である。
【図８】本発明の別の実施例による係止具を示す図である。
【図９】図８の係止具の変形例を示す図である。
【図１０】図９の係止具の変形例を示す図である。
【図１１】本発明のさらに別の実施例による管およびコード類固定具を示す図である。
【図１２】本発明のさらに別の実施例による管およびコード類固定具を示す図である。
【図１３】本発明のさらに別の実施例による管およびコード類固定具を示す図である。
【図１４】本発明のさらに別の実施例による管およびコード類固定具を示す図である。
【図１５】本発明のさらに別の実施例による係止具を示す図である。
【図１６】図１４の係止具の変形例を示す図である。
【符号の説明】
【００１８】
１、１"、１'-１、１'-２、１'-２'、１'-３、１'-３'、１'-４  本発明の管およびコード類固定具
２、２'  チューブ
２-１、２-２  チューブ端
３、３"、３'-１、３'-２、３'-３、３'−３'、３'-４  留具
４  円筒形状筒状部内部
４'-１、４'-２  内腔
４'-３  空洞部
５、５"、５'-１、５'-４  筒状部
５'-２  紡錘部
６、６"、６'-２、６'-３、６'-４  貫通孔
７、Ｆ"、７'-２、７'-３、７'-４  係止部
８  筒状部(５)となる長方形部分
９  長方形部分の両側
１０  留具となるパーツ
１１  開口部
１２、１２'-１、１２"-１、１２"−２、１２"−３  係止具
１２'-２、１２'-３  フック具
１３  貫通孔
１４、Ｆ"１、１４'-１、１４'-２、１４'-３、１４"−１、１４"−２、１４"−３  フック本体
１５、１５'  フック本体の基部
１６、Ｆ"２、１６'-１、１６'-２、１６'-３、１６"−１、１６"−２、１６"−３  閉鎖部材
１７、１７'、１７"−１、１７"−２、１７"−３  クリップ
１８、１８"−１、１８"−２、１８"−３  可動片
１８'  可動片の先端
１８"  可動片の他端
１９、１９"−１、１９"−２、１９"−３  座板
１９'  座板の先端
１９"  座板の他端
２０、２０'  平板
２１、２１'  係止具
２２  クリップ
２２'  開口
Ａ、Ａ'、Ａ"  回動軸
Ｂ、Ｂ３  バネ板
Ｃ、Ｃ-２、Ｃ-３  回動連結部材
Ｃ１  連結板
Ｃ３、Ｃ３１、Ｃ３２  連結片
Ｃ２Ｐ、Ｃ３Ｐ  突出部
Ｆ、Ｆ"、Ｆ'-１、Ｆ'-２、Ｆ'-３、Ｆ"-１、Ｆ"-２、Ｆ"-３  フック部
Ｈ、Ｈ-２、Ｈ-３  孔
Ｉ  ネジ部材の頭部
Ｉ'  ネジ部材の脚部
Ｊ、Ｊ'、Ｊ"  連結部材
Ｊ１  連結用円柱部  
Ｊ２  連結軸
Ｋ  貫通孔
Ｌ１  筒状部の高さ
Ｌ２  係止部の長さ
Ｍ  筒状部から引き出されたチューブの端部
Ｎ、Ｎ１、Ｎ２  ネジ
Ｎ'  ネジ溝
Ｎ−１、Ｎ−２  ネジ部材
Ｎ−３  回動軸
Ｐ  壁面周囲の凸部
Ｑ、Ｑ'  嵌合部分
Ｒ、Ｒ'  ループ
ｒ、ｒ'  第２のループ部分
Ｓ  支持部
Ｔ  手術用プラスチックチューブ
Ｗ１  筒状部内径
Ｗ２  筒状部外径
【発明を実施するための最良の形態】
【００１９】
[実施例]
次に、本発明を、図面に示す実施例に従って説明する。図１は、本発明の１実施例による管およびコード類固定具の正面図であり、図２は、図１に示す固定具の留具の詳細を示す図であり、図３は、図２に示す留具の展開図であり、図４は、図１に示す固定具の使用態様を示す図である。
図１を参照して、本発明の管およびコード類固定具(１)は、直径４〜８ｍｍの手術用プラスチックチューブ(Ｔ)２本を固定するためのものであって、内径０．２ｃｍ、外径０．５ｃｍ、長さ３０ｃｍのシリコンゴム製チューブ(２)および、厚さ０．１５ｃｍのステンレス製の留具(３)から成り、当該留具(３)は、内径(Ｗ１)０．８ｃｍ、外径(Ｗ２)１．１ｃｍ、高さ(Ｌ１)１．２ｃｍの円筒形状の筒状部(５)と、直径１ｃｍの貫通孔(６)を先端付近に設けた長さ(Ｌ２)２．２ｃｍの略扇形形状の係止部(７)とから成る(図２に示す)。
当該留具（３）は、ステンレス製平板(０．１５ｃｍ厚)から、筒状部(５)となる長方形部分(８)と係止部(７)となる略扇形形状部分から成る所定の寸法のパーツ(１０)を切り出し(図３に示す)、当該長方形部分(８)の両側(９)を溶接することにより作製して成る。なお、チューブ(２)にシリコン製素材を用い、留具(３)にステンレス素材を用いたことにより、固定具(１)は、１３５℃の高圧蒸気滅菌(オートクレーブによる滅菌)にも耐えることができる。
固定具(１)は、一本のチューブ(２)を輪にして留具の筒状部(５)の内部(４)にその両端部を貫通させ、２０ｃｍ周のループ(Ｒ)を形成して成る。【００２０】
固定具(１)は、手術用プラスチックチューブ(Ｔ)２本を所望の箇所に固定する。図４Ａに示すごとく、ループ(Ｒ)のループ面を横切るように手術用プラスチックチューブ(Ｔ)２本を配置し、この手術用プラスチックチューブ(Ｔ)を挟んでループ(Ｒ)を二つ折りにした後、プラスチックチューブ(Ｔ)２本に関して留具(３)を有する側のループ部分をその反対側のループ部分の開口部(１１)にくぐらせて(図４ＢおよびＣ)、適宜力加減を調節しながら引っ張り出す(図４Ｄ)ことにより、ループ(Ｒ)を手術用プラスチックチューブ(Ｔ)に緊密に結び付ける。
図１〜図４の固定具(１)において、例えば、留具(３)の貫通孔(６)に布鉗子のハサミの先端を貫通させ、かつ当該ハサミを所定の箇所に挟むことにより、手術用プラスチックチューブ(Ｔ)を固定具(１)を介して所定の箇所に固定することができる。【００２１】
図５は、一本の輪状チューブ(２')を留具(３'-１)で止めてループ(Ｒ')を形成した、本発明の別の実施例(１'-１)を示す図である。この実施例は、係止部(７)を有さず筒状部(５'-１)のみを有する点を除き、上記図２Ｂに示した実施例と同様である。一本の輪状チューブ(２')を用いることにより、留具(３'-１)に関してループ(Ｒ')と反対側に第２のループ部分(ｒ)が形成されて(即ち、留具(３'-１)に第２のループ部分(ｒ)が設けられて)、これを所望の箇所に係止することができる。【００２２】
図６は、本発明の１実施例による係止具(１２)を示す斜視図である。図７は図６に示す状態を上方から見た概観図である。
図６および図７を参照して、係止具(１２)を、前もって、手術現場の所定の台(清潔区域とした台等)の縁に固定しておく。係止具(１２)は、貫通孔(１３)と、フック本体(１４)と閉鎖部材(１６)から成るフック部(Ｆ)とから成るステンレス製部材である。フック本体(１４)の基部(１５)には、その裏面に、ステンレス製クリップ(１７)が取り付けてあり、このクリップ(１７)で係止具(１２)を所定の台の縁に着脱可能に固定できるようになっている。閉鎖部材(１６)は一端がフック本体(１４)の基部(１５)に設けられた回動軸(Ａ)の周りに回動可能に取り付けられて、他端がフック本体(１４)の先端に当接してフック本体の開口を閉じる第１の位置と、他端がフック本体の先端から離れてフック本体の開口を開く第２の位置をとり得るようになっており、回動軸(Ａ)には閉鎖部材(１６)を常時第１の位置に向けて弾性付勢するようにバネが設けられている。本発明の固定具(１、１"、１'-１、１'-２、１'-２'、１'-３、１'-３'、１'-４)の留具(３、３"、３'-１、３'-２、３'-３、３'-４)の貫通孔(６、６"、６'-２、６'-３、６'-４)ないし第２のループ(ｒ、ｒ')に、閉鎖部材(１６)を押圧変形しつつ開通し、係止具(１２)のフック本体(１４)を引っ掛ける。閉鎖部材(１６)はバネの弾性力により付勢して元の形状に戻り、フック本体(１４)と再度綴じ合わさるために、引っ掛けられた留具の貫通孔は抜け外れることがない。この係止具(１２)は、その貫通孔(１３)を所望の箇所に予め設けられた突出部に係止して、固定具を固定することもできる。【００２３】
なお、係止具(１２)は、閉鎖部材(１６)を、一端がフック本体(１４)の基部(１５)に、自発的な弾性力により、常時第１の位置に向けて弾性付勢されるように取り付けたものを用いてもよい。
また、係止具(１２)は、例えば、フック本体(１４)の基部(１５)の裏面にクリップ(１７)を、上下方向にスライドできるように取り付けたり、フック本体(１４)の基部(１５)の裏面にクリップ(１７)を、一定の長さを持たせた連結手段を介して連結する等の適宜の態様で取り付けたものを用いてよく、かかる係止具を用いることで、固定具の固定が予定されている場所の高さや厚み、フック本体(１４)を引っ掛ける固定具の予定される固定位置等の状況に応じて、適切に対応できる。【００２４】
図８は、本発明の別の実施例による係止具を示す図である。
図８において、係止具(１２'-１)は、ステンレス製であり、可動片(１８)と、可動片裏面に設けられたクリップ(１７')とから成り、詳しくは、一端を細く形成して曲げ加工等したフック本体(１４'-１)および閉鎖部材(１６'-１)から成るフック部(Ｆ'-１)を有する可動片(１８)と、その裏面中央部に設けられた回動軸(Ａ')(これにはバネが取り付けられている)により、可動片(１８)に対向して回動可能に取り付けられた座板(１９)とから成るものである。可動片(１８)と座板(１９)は、座板の先端(１９')が、可動片の先端であってフック本体(１４'-１)の裏面に当接する第１の位置と、可動片の先端(１８')から離れた第２の位置をとり得るようになっており、座板の先端(１９')が回動軸(Ａ')に取り付けられたバネの弾性力により、常時第１の位置に向けて弾性付勢されるようになっている。閉鎖部材(１６'-１)は、フック本体(１４'-１)の基部(１５')に突設されるとともに、その自由端がフック本体(１４'-１)の先端に当接してフック本体(１４'-１)の開口を閉じる位置を常時はとるが、自由端がフック本体(１４'-１)の先端から離れてフック本体(１４'-１)の開口を開くように弾性変形可能になっている。閉鎖部材(１６'-１)を押圧しつつ、フック本体(１４'-１)の開口を開通し、本発明の固定具(１、１"、１'-１、１'-２、１'-２'、１'-３、１'-３'、１'-４)の留具(３、３"、３'-１、３'-２、３'-３、３'-４)の貫通孔(６、６"、６'-２、６'-３、６'-４)ないし第２のループ(ｒ、ｒ')に係止具(１２'-１)のフック本体(１４'-１)を通す。この後、閉鎖部材(１６'-１)の弾性力により閉鎖部材(１６'-１)は再度フック本体(１４'-１)先端に当接し、留具の貫通孔は、係止具(１２'-１)のフック本体(１４'-１)から抜け外れることがない。一方、可動片の他端(１８")と座板の他端(１９")を押圧することで座板の先端(１９')が可動片の先端(１８')から離れた第２の位置をとり、それによって生じる可動片の先端(１８')と座板の先端(１９')の間において、係止具(１２'-１)を、例えば、管およびコード類の固定が予定される所定の台の縁等に挟みつけることにより、本発明の固定具(１、１"、１'-１、１'-２、１'-２'、１'-３、１'-３'、１'-４)、ひいてはそれに結合した管およびコード類を、所望の箇所に固定することができる。当該座板の他端(１９")には、貫通孔(Ｋ)が設けられており、これに管およびコード類の固定が予定される所定の箇所に予め設けられた突出部等を貫通させることにより、本発明の固定具(１、１"、１'-１、１'-２、１'-２'、１'-３、１'-３'、１'-４)、ひいては管およびコード類(Ｔ)を所定の箇所に固定することもできる。【００２５】
図９は、図８に示す係止具(１２'-１)のクリップ(１７')部分を改変した係止具(１２"-１)を示したものである。図９に示す係止具(１２"-１)は、可動片(１８"−１)と座板(１９"−１)と、これらの間に設けられた回動連結部材(Ｃ)とから成る。可動片(１８"−１)は、幅広の略長方形の板の先端部をＬ字形に曲げて形成した支持部(Ｓ)の先端中央部をさらにＬ字形に細く突出成形して成るフック本体(１４"−１)と閉鎖部材(１６"−１)とから成るフック部(Ｆ"−１)を有する。閉鎖部材(１６"−１)は、図８の閉鎖部材(１６'−１)と同様の構成で可動片(１８"−１)に設けられている。座板(１９"−１)は、中央部に縦長の孔(Ｈ)を有し、座板(１９"-１)の外側から前記孔(Ｈ)に、前記孔(Ｈ)の横幅より長径の頭部(Ｉ)を有するネジ部材(Ｎ−１)を貫通させて、当該ネジ材(Ｎ−１)の先端部を、回動連結部材(Ｃ)の側部に固定して、座板(１９"-１)を、前記ネジ材(Ｎ−１)の頭部(Ｉ)と前記回動連結部材(Ｃ)の間に挟持しつつも、縦方向にスライドできるようになっている。可動片(１８"-１)と座板(１９"-１)とは、可動片(１８"−１)のＬ字端側で、前記可動片(１８"−１)と前記座板(１９"−１)の間が開閉可能となるように、回動連結部材(Ｃ)に設けられたバネ板(Ｂ)により付勢されている。この構成により本係止具(１２"-１)は、例えば平底の縁がＬ字形に立ち上がった形状の台の縁に挟みつけて固定した場合、台の縁と底の間のＬ字角部分で、支持部(Ｓ)により可動片(１８"-１)のぐらつきを抑えて、係止具(１２"-１)を台の上に安定に固定できるものである。本係止具(１２"-１)では、座板(１９"-１)の先端もＬ字形に曲げ加工して、クリップ(１７"−１)のいっそう確実な挟持機能が確保されるようにしてある。【００２６】
本係止具(１２"-１)の使用に際しては、ネジ部材(Ｎ−１)を少し緩めた上で、回動連結部材(Ｃ)を定位置に保持しながら、座板(１９"-１)に下方向の力を加えると、ネジ部材(Ｎ−１)の脚部(Ｉ'；図９Ｂおよび図９Ｄに点線で示す。)が孔(Ｈ）の上端に移動し、座板(１９"-１)は下方にスライドし、座板(１９"-１)のＬ字端と可動片のＬ字端の間の間隔が増す。逆に、回動連結部材(Ｃ)を定位置に保持しながら、座板(１９"-１)に上方向の力を加えると、ネジ部材(Ｎ−１)の脚部(Ｉ')が孔(Ｈ）の下端に移動し、座板(１９"-１)は上方にスライドする。これにより、係止具(１２"-１)を固定する場所の幅や高さ等の状況に応じて、可動片(１８"−１)と座板(１９"−１)の間の開閉態様ひいてはクリップによる挟持態様を適宜変更できる。
なお、可動片(１８"−１)、座板(１９"−１)および回動連結部材(Ｃ)の形状を固定状況に合わせて変更したり、可動片(１８"−１)を回動連結部材(Ｃ)に上下方向にスライド可能に連接する構成にしたり、図１０に一例を示すように、回動連結部材(Ｃ)を前後方向、即ち可動片(１８"−１)ないし座板(１９"-１)の方向に伸縮可能に形成する等の変更をなすことにより、いっそう多様なクリップ固定態様を実現できる。【００２７】
図１０は、図９に示す係止具(１２"-１)の回動連結部材(Ｃ)を改変した係止具(１２"-２、１２"-３)を示したものである。図１０Ａに示す係止具(１２"-２)は、図９に示すフック部(Ｆ"−１)と同様の構成のフック部(Ｆ"−２)を有する幅広の板状の可動片(１８"−２)と、可動片(１８"−２)の裏面に対向して配置される幅広の座板(１９"−２)と、以下に詳述する３つのコンポーネントから構成される回動連結部材(Ｃ−２)とから成る。即ち、回動連結部材(Ｃ−２)は、可動片(１８"−２)の裏面中央部に可動片(１８"−２)に対して垂直に設けられる、可動片(１８"−２)の幅と同程度の長さの連結板(Ｃ１)と、連結板(Ｃ１)の下面に当接配置される長板の両端が垂直下方に曲折して一対の第一突出部(Ｃ２Ｐ)を形成する第一連結片(Ｃ２、図には表れず)と、座板(１９"−２)の中央部に接着される長板の両端をクリップ内側方向へ垂直に曲折して一対の第二突出部(Ｃ３Ｐ)を形成する第二連結片(Ｃ３)と、から成る。連結板(Ｃ１)の両端部には一対の細長の孔(Ｈ−２)が、可動片(１８"−２)に対して垂直に設けられており、連結板(Ｃ１)の上から孔(Ｈ−２)に、孔(Ｈ−２)の短幅よりも長径の頭部を持つネジ部材(Ｎ−２)を貫通させ、その先端を第一の連結片(Ｃ２)に固定して、ネジ部材(Ｎ−２)の頭部と第一の連結片(Ｃ２)の間に連結板(Ｃ１)が、座板(１９"−２)に対して前後方向にスライド可能に挟持されるようになっている。第一突出部(Ｃ２Ｐ)と第二突出部(Ｃ３Ｐ)の中央には各々孔が設けられており、左右の第一突出部(Ｃ２Ｐ)と、対応する第二突出部(Ｃ３Ｐ)を、孔を合わせて嵌合し、左右の連列した孔に回動軸を貫通させて、第一の突出部(Ｃ２Ｐ)と第二の突出部(Ｃ３Ｐ)、ひいては可動片(１８"−２)と座板(１９"−２)を回動可能に連結している。なお、連結板(Ｃ１)の、可動片(１８"−２)の裏面との当接部分の中央部には、バネ板(Ｂ２)の幅および厚み分だけ切欠部を設けてある。バネ板(Ｂ２)は、当該切欠部にバネ板(Ｂ２)の一端部を貫通させて、当該一端部を可動片(１８"−２)の裏面上端部に接着し、かつ、バネ板(Ｂ２)の他端部を、回動連結部材(Ｃ−２)の下方を経て座板(１９"−２)の上端部に接触する構成により、可動片(１８"−２)と座板(１９"−２)の間の間隔が先端部で狭くなるように、可動片(１８"−２)と座板(１９"−２)を常時付勢している。ネジ部材(Ｎ−２)を緩めて可動片(１８"−２)に座板方向の力を加えると、ネジ部材(Ｎ−２)の脚部が連結板(Ｃ１)の孔(Ｈ−２)の可動片側の端に支えるまで、可動片(１８"−２)が座板(１９"−２)の方向にスライド移動する。ネジ部材(Ｎ−２)を緩めて可動片(１８"−２)を座板(１９"−２)に対して手前に引っ張ると、ネジ部材(Ｎ−２)の脚部が連結板(Ｃ１)の孔(Ｈ−２)の座板側の端に支えるまで、可動片(１８"−２)が手前にスライド移動する。かかる構成により、係止具(１２"-２)が固定される場所の幅に応じた適切なクリップ挟持機能を確保することができる。【００２８】
図１０Ｂに示す係止具(１２"-３)は、図９に示すフック部(Ｆ"−１)と同様の構成のフック部(Ｆ"−３)を有する幅広の板状の可動片(１８"−３)と、可動片(１８"−３)の裏面に対向して配置される幅広の座板(１９"−３)と、以下に詳述する３つのコンポーネントから構成される回動連結部材(Ｃ−３)とから成る。即ち、回動連結部材(Ｃ−３)は、可動片(１８"−３)の裏面中央部の両端に、可動片(１８"−３)に対して垂直に設けられる一対の第一連結片(Ｃ３１)と、座板(１９"−３)の中央部の両端に、座板(１９"−３)に対して垂直に設けられる一対の第二連結片(Ｃ３２)と、Ｕ字型のバネ板(Ｂ３)と、から成る。第一連結片(Ｃ３１)の中央部には細長の孔(Ｈ−３)が、可動片(１８"−３)に対して垂直に設けられており、両側の第一連結片(Ｃ３１)に設けた細長の孔(Ｈ−３)と両側の第二連結片(Ｃ３２)に設けた孔(図示せず)を貫通するように回動軸(Ｎ−３)を挿入してある。この回動軸(Ｎ−３)はネジ状の形状を有しており、その頭部は孔(Ｈ−３)の短幅および第二連結片(Ｃ３２)の孔の径よりも長径の頭部を有し、また先端部には回動軸(Ｎ−３)が脱落せぬようにボルトを接合してある。バネ板(Ｂ３)は、そのＵ字の一端部が可動片(１８"−３)の裏面上端部に接着し、他端部が座板(１９"−３)の、第二連結片(Ｃ３２)が存在する側の面の上端部に接触しており、そのＵ字の曲折部が、一方側の第一・第二の連結片と他方側の第一・第二の連結片の間に収容されていて、かつ、そのＵ字の曲折部の可動片側の側部が、回動軸(Ｎ−３)の側部に当接している。この構成により、回動軸(Ｎ−３)が、Ｕ字の幅を押し拡げようとするバネ板(Ｂ３)の力により常時、孔(Ｈ−３)の可動片側の端に押し付けられ、これに連動して、回動軸(Ｎ−３)が貫通している第二連結片(Ｃ３２)に連結している座板(１９"−３)が可動片(１８"−３)の方向に押し付けられて、可動片(１８"−３)と座板(１９"−３)が、それらの中央部および先端部で閉じるように、付勢されている。クリップ(１７"−３)を挟みつける箇所が薄い場合、クリップ(１７"−３)は、回動軸(Ｎ−３)が可動片側に寄ったままで、しっかりと当該箇所を把持する一方、当該箇所が分厚い場合は、可動片(１８"−３)の先端部と座板(１９"−３)の先端部の間が拡げられ、これに伴い回動軸(Ｎ−３)が孔(Ｈ−３)に沿って座板側へと移動し、バネ板(Ｂ３)の、Ｕ字の幅を押し広げようとする力に基づき、ある位置で止まり、当該箇所を挟んだ状態で回動軸(Ｎ−３)に可動片方向の力がかかることにより、クリップ(１７"−３)は、当該箇所の厚みに応じた最適の密着固定状態を確保する。【００２９】
図１１〜図１４は、本発明のさらに別の実施例による固定具を示したものである。図１１に示す固定具は、１個の筒状部(５")と、当該筒状部上端に設けられたフック部(Ｆ")とから成る留具(３")を有する。筒状部(５")内には、チューブ(２)の両端部がかしめ固定されており、フック部(Ｆ")は、留具(３")筒状部(５")上端一箇所に設けられたフック本体(Ｆ"１)と、前記フック本体の基部および先端の間にのびて、前記フック本体(Ｆ"１)の開口を閉じる閉鎖部材(Ｆ"２)とを有し、閉鎖部材(Ｆ"２)は、一端がフック本体(Ｆ"１)の基部に設けられた回動軸(Ａ")(これにはバネが取り付けられている)の周りに回動可能に取り付けられて、他端がフック本体(Ｆ"１)の先端に当接してフック本体(Ｆ"１)の開口を閉じる第１の位置と、前記他端が前記フック本体の先端から離れて前記フック本体の開口を開く第２の位置をとり得るようになっており、閉鎖部材(Ｆ"２)は、回動軸(Ａ")に取り付けられたバネの弾性力により、前記他端が常時第１の位置に向けて弾性付勢されるようになっている。閉鎖部材(Ｆ"２)を押圧しつつ、フック本体(Ｆ"１)の開口を開通して、所定の箇所に予め設けられた釣り下げ用ケーブル等に当該留具(３")を係止して、固定具(１")を当該所定の箇所に固定することができる。【００３０】
図１２に示す固定具(１'-２、１'-２')は、留具(３'-２)が、１個の紡錘部(５'-２)と、当該紡錘部(５'-２)に設けられた係止部(７'-２)と、所望により紡錘部(５'-２)に設けられた第２のループ部(ｒ')とを有するものである。紡錘部(５'-２)は、内部にそれぞれチューブが挿入される、２個の内腔(４'-１、４'-２)を備えている。各内腔の外径はチューブの外径より小さくなっている。一方の内腔(４'-１)においては、挿入したチューブ端(２-１)が、以下に詳述するごとく連結部材(Ｊ)を介して、紡錘部(５'-２)の当該内腔(４'-１)側、正面から裏面へと貫通するネジ(Ｎ)により移動不能に固定されるようになっている。他方の内腔(４'-２)においては、当該チューブの他端(２-２)が下方から挿入されて、引っ張り出し可能に固定されるようになっている。連結部材(Ｊ)は、連結用円柱部(Ｊ１)と、その底面中央から垂下形成された、チューブの内径よりやや太い径で所定の長さの連結軸(Ｊ２)とから成り、連結用円柱部(Ｊ１)には、その中心軸(仮想)に対して垂直方向に円柱側面正面から裏面へと貫通するようにネジ溝(Ｎ')が設けられている。チューブ端先端(２-１)に連結軸(Ｊ２)を挿入し、チューブ端先端(２-１)と連結部材(Ｊ)とを堅固に連結する。連結用円柱部(Ｊ１)は所望により、その上面中央から垂直に形成された前記連結軸と同じ連結軸(Ｊ２)を有し、チューブ他端の先端(２-２)に当該連結軸(Ｊ２)を挿入し、チューブ両端(２-１および２-２)を連結部材(Ｊ)を介して堅固に連結し、紡錘部(５'-２)上端に設けられた第２のループ(ｒ')を形成することもできる(図１２Ｃ)。【００３１】
図１３Ａ〜Ｃに示す固定具(１'-３)は、留具(３'-３)が、一対の嵌合部分(ＱおよびＱ')から構成されるものであり、これらの嵌合部分が互いに嵌め合わされて２個の空洞部(４'-３)を備えたキャップ形状の留具(３'-３)を形成し、その先端には、貫通孔(６'-３)を形成するようになっている。また、各嵌合部分(ＱおよびＱ')の中心軸上２箇所にはネジ孔が設けられており、対応するネジ(Ｎ１およびＮ２)を挿入および螺合して、各嵌合部分(ＱおよびＱ')を結合および一体化することができるようになっている。空洞部(４'-３)壁面周囲には凸部(Ｐ)が設けられている。一方、この留具(３'-３)に対応するチューブ(２)には、留具(３'-３)の空洞部(４'-３)に対応する形状に成形された連結部材(Ｊ')がそれぞれ、その両端内腔に挿入されている。連結部材(Ｊ')は、留具(３'-３)の空洞部(４'-３)の壁面の凸部(Ｐ)と整合する形状の凹部を備えている。一方の嵌合部分(Ｑ')の、止部空洞部に相当する箇所に、連結部材(Ｊ')が挿入されたチューブ(２)先端を配置し(図４Ｃ)、嵌合部分(Ｑ')に対応する嵌合部分(Ｑ)を被せた後、前記ネジ孔にネジ(Ｎ１およびＮ２)を挿入および螺合して、空洞部(４'-３)内にチューブ(２)の両端を固定することができるようになっている。特に留具下方に位置するネジ(Ｎ２)による締め付けと、空洞部(４'-３)の凸部(Ｐ)とにより、空洞部(４'-３)内のチューブ(２)両端は、ループにある程度の荷重が作用しても、留具(３'-３)から抜け外れることがない。なお、貫通孔(６'-３)に、例えば図６に示す係止具(１２)のフック本体(１４)等、所定の突出部を貫通させて、固定具(１'-３)を所望の箇所に固定することができる。
前記嵌合部分(ＱおよびＱ')において、図１３Ｄに示すごとく、図１３Ａ〜Ｄに示す留具(３'-３)の２個の空洞部(４'-３)が留具内部でアーチ状に連続するように嵌合部分(ＱおよびＱ')を形成し、このアーチ状空洞部に適宜の太さの輪状のチューブ(２')を嵌め込んで、嵌合部分(ＱおよびＱ')を嵌め合わせて留具(３'−３')を形成することで、固定具(１'-３')を作製することもでき、この場合にも、形成されるループは抜けることがない。【００３２】
図１４に示す固定具は、留具(３'-４)が筒状部(５' -４)と、当該筒状部(５' -４)に設けられた係止部(７'-４)とを有し、筒状部(５' -４)内腔一方からチューブ(２)の一端が挿入され、筒状部内腔他方からチューブ(２)の他端が挿入され、チューブ(２)の両端が連結固定されてループ(Ｒ)を形成して成るものである。好ましくはチューブ(２)の両端は、連結部材(Ｊ")を介することで堅固に連結される。図１４に示す固定具において、連結部材(Ｊ")によりチューブ(２)の両端を連結する態様は、図１２Ｃに関して前述したものと同様である。【００３３】
図１５は、本発明のさらに別の実施例による係止具を示す図である。この実施例では、係止具(２１)は、ステンレス製の細長い平板(２０)中央部に複数個のフック具(１２'-２)を並べて取り付けたものから成り、平板(２０)の両端に、曲げ加工等により作成したクリップ(２２)を有している。フック具(１２'-２)は、フック本体(１４'-２)と閉鎖部材(１６'-２)とから成るフック部(Ｆ'-２)を有し、閉鎖部材(１６'-２)がフック本体(１４'-２)の基部に突設されてその先端がフック本体(１４'-２)の先端に当接してフック本体の開口を閉じる位置を常時とるが、自由端がフック本体の先端から離れてフック本体の開口を開くように弾性変形可能になっている。例えば本発明の固定具(１、１"、１'-１、１'-２、１'-２'、１'-３、１'-３'、１'-４)の留具(３、３"、３'-１、３'-２、３'-３、３'-４)の貫通孔(６、６"、６'-２、６'-３、６'-４)ないし第２のループ(ｒ、ｒ')に、フック本体(１４'-２)を係止する方法は、図８に示す係止具と同様である。留具の貫通孔(６)は、フック本体(１４'-２)から抜け外れることがない。平板(２０)中央部は、固定具の固定が予定されている台の幅に適合する長さとなっており、かつ、クリップ(２２)は、固定が予定されている台の縁の形状に適合するように成形されており、クリップ(２２)を当該台の縁に嵌合することにより、係止具、ひいては本発明の固定具に保持された管およびコード類を、確実にかつ整然と、簡便に固定することができる。【００３４】
図１６は、図１５の係止具の変形例を示す図である。この例では、係止具(２１')は、ステンレス製の細長い平板(２０')中央部に複数個のフック具(１２'-３)を並べて取り付けたものから成り、平板(２０')の両端に、係止用開口(２２')を有する(この開口(２２')は、例えば、平板(２０')両端から円盤を刳り貫き作成することができ、ないしは平板(２０')両端に開口から成る係止部を溶接加工して作成することもできる)。フック具(１２'-３)は、フック本体(１４'-３)と閉鎖部材(１６'-３)とから成るフック部(Ｆ'-３)を有し、閉鎖部材(１６'-３)は、一端がフック本体(１４'-３)の基部に設けられた回動軸の周りに回動可能に取り付けられて、他端がフック本体(１４'-３)の先端に当接してフック本体の開口を閉じる第１の位置と、他端がフック本体の先端から離れてフック本体の開口を開く第２の位置をとり得るようになっており、回動軸に取り付けられたバネの弾性力により、他端が常時第１の位置に向けて弾性付勢されるようになっている。例えば、本発明の固定具(１、１"、１'-１、１'-２、１'-２'、１'-３、１'-３'、１'-４)の留具(３、３"、３'-１、３'-２、３'-３、３'-４)の貫通孔(６、６"、６'-２、６'-３、６'-４)ないし第２のループ(ｒ、ｒ')に、フック本体(１４'-３)を係止する方法は、図６に示す係止具と同様である。留具の貫通孔ないし第２のループは、フック本体(１４'-３)から抜け外れることがない。平板(２０')中央部は、固定具の固定が予定されている箇所に適合する長さとなっている。平板(２０')の両端の係止用開口(２２')に、例えば布鉗子のハサミの先端等を貫通して、当該布鉗子等にて、係止具(２１')を所定の箇所に固定することができ、所定の箇所に、本発明の固定具に保持された管およびコード類を、確実に整然と、簡便に固定することができる。
【産業上の利用可能性】
【００３５】
本発明の固定具を用いて、手術室において使用される手術用器具に付属する管およびコード類を傷つけることなく、およびこれら管およびコード類を圧迫したり折り曲げたりしてその機能を損なうことなく、確実かつ簡便に、所望の箇所にこれらを整理して固定することができる。また、本発明の係止具に前記固定具の留具を係止して、簡便に所望の箇所に管およびコード類を固定および整理することができる。医療分野で特に有用である。
【図１】
2006085649.tif 000002
【図２】
2006085649.tif 000003
【図３】
2006085649.tif 000004
【図４】
2006085649.tif 000005
【図５】
2006085649.tif 000006
【図６】
2006085649.tif 000007
【図７】
2006085649.tif 000008
【図８】
2006085649.tif 000009
【図９】
2006085649.tif 000010
【図１０】
2006085649.tif 000011
【図１１】
2006085649.tif 000012
【図１２】
2006085649.tif 000013
【図１３】
2006085649.tif 000014
【図１４】
2006085649.tif 000015
【図１５】
2006085649.tif 000016
【図１６】
2006085649.tif 000017
【国際調査報告】
2006085649.tif 000018
2006085649.tif 000019
2006085649.tif 000020
2006085649.tif 000021